(57)【要約】【課題】ユーザインタフェース機器から情報処理装置に設定情報を無線により送信して設定処理を実行させる際の利便性の向上を図る。【解決手段】ＵＩデバイス１０において、設定情報生成処理部１４は、操作対象デバイス３０から取得したリソース項目情報に含まれるリソース項目に対する項目値をユーザに入力させ、その項目値を含む設定情報を生成する。接続状態監視部１６は、操作対象デバイス３０との間の無線回線の接続状態を常時監視しており、設定情報生成処理部１４は、生成した設定情報をオンラインの状態であるときにはリソース設定情報送信部２６に操作対象デバイス３０へ即時送信させる。一方、オフラインの状態であるときには設定情報をリソース設定情報保持部１８に一時保持する。そして、オンラインの状態になったことを確認できた後に一時保持した設定情報を送信させる。【選択図】図１
2005260312.tif 000002
【特許請求の範囲】
【請求項１】
無線通信機能を有し、設定すべき項目データを含む設定情報を無線接続された情報処理装置へ送信するユーザインタフェース機器において、
前記情報処理装置との無線回線の接続状態を監視する接続状態監視手段と、
前記情報処理装置により指定された各設定項目に対して、ユーザにより設定された項目データを受け付け、前記項目データを含む設定情報を生成する設定情報生成手段と、
設定情報を保持する情報保持手段と、
前記設定情報生成手段により生成された設定情報を、前記情報処理装置との無線回線が接続されているときにはそのまま送信し、無線回線が接続されていないときには設定情報を前記情報保持手段に一時保持し、無線回線の接続を確認した後に前記情報保持手段から設定情報を取り出し送信する送信制御手段と、
を有することを特徴とするユーザインタフェース機器。
【請求項２】
請求項１記載のユーザインタフェース機器において、
設定すべき項目が指定された設定項目情報の送信を前記情報処理装置に要求する送信要求手段を有し、
前記設定情報生成手段は、前記送信要求手段による要求に応じて前記情報処理装置から送られてきた設定項目情報に基づき項目データ設定画面を表示し、その表示した項目データ設定画面からユーザに項目データを入力させるユーザインタフェース制御部を有することを特徴とするユーザインタフェース機器。
【請求項３】
請求項２記載のユーザインタフェース機器において、
前記ユーザインタフェース制御部は、無線回線が接続されているときのみ設定情報の送信ボタンを選択可能に項目データ設定画面に表示することを特徴とするユーザインタフェース機器。
【請求項４】
請求項２又は３記載のユーザインタフェース機器において、
前記ユーザインタフェース制御部は、無線回線が接続されていないときには設定情報の前記情報保持手段への保存ボタンを項目データ設定画面に表示することを特徴とするユーザインタフェース機器。
【請求項５】
無線通信機能を有する情報処理装置において、
前記ユーザインタフェース機器との無線回線の接続状態を監視する接続状態監視手段と、
無線回線を介してユーザインタフェース機器から送られてきた設定情報に含まれる項目データに基づき設定処理を行う設定処理手段と、
を有し、
前記設定処理手段は、前記設定処理手段における設定処理に用いた設定情報を送信した前記ユーザインタフェース機器との回線断が検出された時点で、当該設定を無効にすることを特徴とする情報処理装置。
【請求項６】
請求項５記載の情報処理装置において、
前記設定処理手段は、初期設定に戻すことによって当該環境設定を無効にすることを特徴とする情報処理装置。
【請求項７】
無線通信機能を有するユーザインタフェース機器において実施され、情報処理装置に対して設定すべき項目データを含む設定情報を前記情報処理装置へ送信することで前記情報処理装置にその設定情報に基づく設定処理を行わせる方法であって、
前記情報処理装置により指定された各設定項目に対して、ユーザにより設定された項目データを受け付ける受付ステップと、
前記受付ステップにより受け付けられた項目データを含む設定情報を生成する情報生成ステップと、
前記情報生成ステップに生成された設定情報を、前記情報処理装置との無線回線が接続されているときにはそのまま送信し、無線回線が接続されていないときには設定情報を一時保持する送信ステップと、
前記情報処理装置との無線回線の接続状態を監視し、オンラインになったときに一時保持しておいた設定情報を送信する再送ステップと、
を含むことを特徴とする情報処理装置への情報設定方法。
【請求項８】
無線通信機能を有する情報処理装置において実施され、無線回線を介してユーザインタフェース機器から送られてきた設定情報に含まれる項目データに基づき設定処理を行う方法であって、
前記ユーザインタフェース機器から送られてくる設定情報を受信する受信ステップと、
前記受信ステップにより受信された設定情報に含まれる項目データに従い該当する項目値の設定を行う設定ステップと、
前記設定ステップにより用いられた設定情報を送信した前記ユーザインタフェース機器との無線回線が切断されたことを認識した時点で、当該環境設定を無効にする設定無効ステップと、
を含むことを特徴とする情報処理装置への情報設定方法。
【発明の詳細な説明】
【技術分野】
【０００１】
本発明は、ユーザインタフェース機器から情報処理装置に設定情報を送信することによって情報処理装置にその設定情報に基づく設定処理を行わせる際の利便性を向上させる情報設定方法、ユーザインタフェース機器及び情報処理装置に関する。
【背景技術】
【０００２】
パーソナルコンピュータ（ＰＣ）などの情報処理装置本体と携帯電話、ＰＤＡ（Personal Digital Assistance）などの携帯型のユーザインタフェース機器（モバイル機器）とを無線接続する技術としてＢｌｕｅｔｏｏｔｈがある。Ｂｌｕｅｔｏｏｔｈを利用すれば、携帯型機器を所望の情報処理装置と容易に接続することができる。そして、携帯型機器のユーザは、所定の入力操作を行うことで情報処理装置のシステム、ネットワーク等の環境設定や機能設定、あるいは機器の動作制御を行うことができる。例えば、特許文献１には、携帯型機器に相当するＧＵＩリモコンから情報処理装置に相当する機器コントロール装置へ制御情報を送りつけることで、機器コントロール装置にその制御情報に基づきターゲット機器の動作を制御させる構成が開示されている。このように、各個人が所有する携帯型機器を用いて情報処理装置に処理制御を行わせることが容易にできるので便利である。
【０００３】
ところで、携帯型機器は、情報処理装置と無線回線により接続されるため、情報処理装置との間でオンラインとオフラインの状態を繰り返すことになる。つまり、Ｂｌｕｅｔｏｏｔｈの場合は１０ｍ以内など無線通信可能な距離は有限であることから、オンラインの状態であるときに携帯型機器がその範囲から外れた場合はオフラインになる。また、通信可能な範囲内であっても障害物等により確立された無線回線が遮断された場合、あるいは無応答や無アクセスのためにタイムアウトにより自動切断された場合、あるいは過負荷などの場合もオフラインになる。そして、その後無線回線が再確立されることでオンラインの状態になる。
【０００４】
携帯型機器において情報処理装置のシステム構成に関する項目値を設定し、その設定情報を情報処理装置に送信して設定処理を行わせるような場合、携帯型機器に設定画面を表示して、その設定画面から項目値を入力させることは、オフラインのときでも可能である。しかし、項目値がユーザにより設定されたとしても、携帯型機器は、オフラインであるために当然ながらその設定された項目値を含む設定情報を情報処理装置へ送信することはできない。従って、オンラインのときとオフラインのときとで設定情報の取扱いを異ならせる必要が生じてくる。
【０００５】
【特許文献１】特開２００１−１６９３７０号公報
【発明の開示】
【発明が解決しようとする課題】
【０００６】
しかしながら、従来における携帯型機器は、現在の状態がオンラインであるかオフラインであるかを認識し、その状態に応じて設定項目情報の取扱いを異ならせるような構成は設けられていなかった。
【０００７】
一方、情報処理装置側としては、複数台の携帯型機器をリモートユーザインタフェースとして利用できるようなシステム環境を構築しておくことが望ましいが、従来における情報処理装置は、複数台の携帯型機器に対応できるように構成されていなかった。
【０００８】
本発明は、以上のような課題を解決するためになされたものであり、その目的は、ユーザインタフェース機器から情報処理装置に設定情報を無線により送信して設定処理を実行させる際の利便性の向上を図るユーザインタフェース機器、情報処理装置、情報処理装置への情報設定方法を提供することにある。
【課題を解決するための手段】
【０００９】
以上のような目的を達成するために、本発明に係るユーザインタフェース機器は、無線通信機能を有し、設定すべき項目データを含む設定情報を無線接続された情報処理装置へ送信するユーザインタフェース機器において、前記情報処理装置との無線回線の接続状態を監視する接続状態監視手段と、前記情報処理装置により指定された各設定項目に対して、ユーザにより設定された項目データを受け付け、前記項目データを含む設定情報を生成する設定情報生成手段と、設定情報を保持する情報保持手段と、前記設定情報生成手段により生成された設定情報を、前記情報処理装置との無線回線が接続されているときにはそのまま送信し、無線回線が接続されていないときには設定情報を前記情報保持手段に一時保持し、無線回線の接続を確認した後に前記情報保持手段から設定情報を取り出し送信する送信制御手段とを有することを特徴とする。
【００１０】
また、設定すべき項目が指定された設定項目情報の送信を前記情報処理装置に要求する送信要求手段を有し、前記設定情報生成手段は、前記送信要求手段による要求に応じて前記情報処理装置から送られてきた設定項目情報に基づき項目データ設定画面を表示し、その表示した項目データ設定画面からユーザに項目データを入力させるユーザインタフェース制御部を有することを特徴とする。
【００１１】
更に、前記ユーザインタフェース制御部は、無線回線が接続されているときのみ設定情報の送信ボタンを選択可能に項目データ設定画面に表示することを特徴とする。
【００１２】
また、前記ユーザインタフェース制御部は、無線回線が接続されていないときには設定情報の前記情報保持手段への保存ボタンを項目データ設定画面に表示することを特徴とする。
【００１３】
本発明に係る情報処理装置は、無線通信機能を有する情報処理装置において、前記ユーザインタフェース機器との無線回線の接続状態を監視する接続状態監視手段と、無線回線を介してユーザインタフェース機器から送られてきた設定情報に含まれる項目データに基づき設定処理を行う設定処理手段とを有し、前記設定処理手段は、前記設定処理手段における設定処理に用いた設定情報を送信した前記ユーザインタフェース機器との回線断が検出された時点で、当該設定を無効にすることを特徴とする。
【００１４】
また、前記設定処理手段は、初期設定に戻すことによって当該環境設定を無効にすることを特徴とする。
【００１５】
本発明に係る情報処理装置への情報設定方法は、無線通信機能を有するユーザインタフェース機器において実施され、情報処理装置に対して設定すべき項目データを含む設定情報を前記情報処理装置へ送信することで前記情報処理装置にその設定情報に基づく設定処理を行わせる方法であって、前記情報処理装置により指定された各設定項目に対して、ユーザにより設定された項目データを受け付ける受付ステップと、前記受付ステップにより受け付けられた項目データを含む設定情報を生成する情報生成ステップと、前記情報生成ステップに生成された設定情報を、前記情報処理装置との無線回線が接続されているときにはそのまま送信し、無線回線が接続されていないときには設定情報を一時保持する送信ステップと、前記情報処理装置との無線回線の接続状態を監視し、オンラインになったときに一時保持しておいた設定情報を送信する再送ステップとを含むことを特徴とする。
【００１６】
他の発明に係る情報処理装置への情報設定方法は、無線通信機能を有する情報処理装置において実施され、無線回線を介してユーザインタフェース機器から送られてきた設定情報に含まれる項目データに基づき設定処理を行う方法であって、前記ユーザインタフェース機器から送られてくる設定情報を受信する受信ステップと、前記受信ステップにより受信された設定情報に含まれる項目データに従い該当する項目値の設定を行う設定ステップと、前記設定ステップにより用いられた設定情報を送信した前記ユーザインタフェース機器との無線回線が切断されたことを認識した時点で、当該環境設定を無効にする設定無効ステップとを含むことを特徴とする。
【発明の効果】
【００１７】
本発明によれば、操作対象となる情報処理装置との間に確立された無線回線の状態を常時監視し、生成したリモート設定情報をオンラインのときには即座に送信し、オフラインのときには一時保存し、オンラインになったことを確認した後に送信することができる。これにより、ユーザの便宜を図ることができる。
【００１８】
また、無線回線が接続されているときのみ設定情報の送信ボタンを選択できるようにしたことによって、ユーザは送信ボタンの表示を参照することにより無線回線が接続されているか否かを一目瞭然に認識することができ、また無線回線が切断されているときに送信させないようにすることができる。このようにして、ユーザの便宜を図ることができる。
【００１９】
また、設定情報を送信したユーザインタフェース機器との回線断が検出された時点で、当該設定情報に基づき設定を無効にできるので、情報処理装置にアクセスできないユーザインタフェース機器による設定内容での処理制御を防止することができる。
【発明を実施するための最良の形態】
【００２０】
以下、図面に基づいて、本発明の好適な実施の形態について説明する。
【００２１】
図１は、本発明に係るユーザインタフェース機器及び情報処理装置の一実施の形態を示したブロック構成図である。本実施の形態における情報処理装置は、各リソース項目に対して設定された値に従い動作するコンピュータや、複写機、複写機能及びＦＡＸ機能等を有する複合機などで実現される。情報処理装置は、ユーザインタフェース機器により設定されたシステム環境上で、当該ユーザインタフェース機器に対するユーザ操作に応じて動作することから、以降の説明では、情報処理装置を操作対象デバイスと称することにする。
【００２２】
一方、本実施の形態におけるユーザインタフェース機器は、ジョグダイアルやハードキー等のユーザインタフェース部品が実装され、無線通信機能を有する携帯電話やＰＤＡなどの携帯型の通信機器で実現される。環境設定され操作される側の情報処理装置を操作対象デバイスと称するのに対して、環境設定し操作する側のユーザインタフェース機器を、以降の説明ではユーザインタフェースデバイス（ＵＩデバイス）と称することにする。
【００２３】
本実施の形態では、以下に詳述するように操作対象デバイス３０のリソースをＵＩデバイス１０から設定することができる。図２には、コピー機能、ファクシミリ機能等を搭載した複合機を操作対象デバイス３０とした場合のリソースの各項目の例が示されている。リソース項目というのは、操作対象デバイス３０のシステム構成に関する設定項目、操作対象デバイス３０の動作制御に関するパラメータ等何らかの値を設定することになるリソースに関するデータ項目である。これらのリソース項目に対して値が設定されると、操作対象デバイス３０はその設定値に基づくシステム環境で動作することになる。本実施の形態では、リソースに対して設定値をリソース項目値あるいは単に項目値と称することにする。
【００２４】
図１に示したように、ＵＩデバイス１０は、通信制御部１２、設定情報生成処理部１４及び接続状態監視部１６を有している。通信制御部１２は、操作対象デバイス３０との間で無線通信を行うための手段であり、リソース項目情報の送信要求を操作対象デバイス３０へ送信するリソース項目情報送信要求部２２、要求に応じて操作対象デバイス３０から送信されてきたリソース項目情報を受信するリソース項目情報受信部２４及びリソース項目値を含むリソース設定情報（単に、「設定情報」ともいう）を操作対象デバイス３０へ送信するリソース設定情報送信部２６を有している。設定情報生成処理部１４は、リソース項目情報に含まれる各項目に対して設定する値をユーザに入力させ、その項目値を含む設定情報を生成する。ユーザインタフェース（ＵＩ）制御部２０は、ＵＩデバイス１０の表示画面に項目データ設定画面を画面表示する。項目データ設定画面には、リソース項目情報に基づき値を設定すべきリソース項目、また初期値が設定されている場合にはその初期値、またユーザによる入力値が表示される。なお、表示例は図５，６に示されている。接続状態監視部１６は、操作対象デバイス３０との無線回線の接続状態を常時監視する。リソース設定情報保持部１８には、設定情報生成処理部１４により生成されたリソース設定情報が保持される。リソース項目の構成は、全ての操作対象デバイス３０において同じであるとは限らないので、リソース設定情報は、ＩＰアドレス等操作対象デバイス３０を識別可能な情報と対にして保持される。
【００２５】
一方、操作対象デバイス３０は、通信制御部３２、リソース設定処理部３４、動作制御部３６及び接続状態監視部３８を有している。通信制御部３２は、ＵＩデバイス１０との間で無線通信を行うための手段であり、リソース項目情報の送信要求を受け付ける要求受付部４０、送信要求に応じてリソース項目情報記憶部４８から取り出したリソース項目情報をＵＩデバイス１０へ送信するリソース項目情報送信部４２及びリソース設定情報を受信するリソース設定情報受信部４４を有している。リソース設定処理部３４は、リソース設定情報受信部４４が受信したリソース設定情報に含まれる項目値、あるいはリソース初期値記憶部５０に保存されているリソース項目の初期値をリソース設定値テーブル４６に書き込む。リソース設定値テーブル４６には、現在有効な項目値が設定されるテーブルであり、動作制御部３６は、リソース設定値テーブル４６に書き込まれた項目値に基づき所定の設定処理を行う。この設定処理により操作対象デバイス３０のシステム動作環境等が設定される。接続状態監視部３８は、ＵＩデバイス１０との無線回線の接続状態を常時監視する。
【００２６】
次に、本実施の形態における動作について図３及び図４に示したフローチャートを用いて説明する。
【００２７】
ＵＩデバイス１０のユーザは、図２に例示した各リソース項目に対して所望する値を設定し、その設定したリソース項目値に基づき動作する操作対象デバイス３０を利用したいとする。この場合、ユーザは、ＵＩデバイス１０を操作対象デバイス３０と無線通信可能な範囲まで歩み寄り、所定の操作をしてＵＩデバイス１０に本実施の形態において特徴とする図３に示した処理の実行を開始させる。
【００２８】
ＵＩデバイス１０において、接続状態監視部１６によりオンラインの状態であることが確認されると（ステップ１０１，１０２）、設定情報生成処理部１４は、該当する操作対象デバイス３０に対してすでに生成したリソース設定情報が保持されているかどうかを確認する（ステップ１０３）。保持されていなければ（ステップ１０４）、設定情報生成処理部１４は、値を設定すべきリソース項目を得るためにリソース項目情報送信要求部２２にリソース項目情報の送信要求を出させる（ステップ１０５）。
【００２９】
操作対象デバイス３０において、接続状態監視部３８によりオンラインの状態が維持されていることが確認されているときに（ステップ２０１，２０２）、通信制御部３２がＵＩデバイス１０により発信された情報を受信したとする。その受信された情報が、ＵＩデバイス１０により発信されたリソース項目情報送信要求であるとき（ステップ２０３）、リソース項目情報送信部４２は、リソース項目情報記憶部４８から図２に例示したリソース項目一覧を含むリソース項目情報を取り出し、要求したＵＩデバイス１０へ送信する（ステップ２０５）。
【００３０】
ＵＩデバイス１０において、リソース項目情報受信部２４が、送信要求に応じて返信されてきたリソース項目情報を操作対象デバイス３０から取得すると（ステップ１０６）、設定情報生成処理部１４は、リソース項目情報に基づきリソース設定情報を生成する（ステップ１０７）。すなわち、設定情報生成処理部１４のユーザインタフェース制御部２０は、リソース項目情報に含まれる各リソース項目を表示するための項目データ設定画面をＵＩデバイス１０の液晶画面に表示する。より具体的には、図５，６に例示したようにリソース項目の名称と各リソース項目に対する設定値を表示する入力欄とを対応付けして表示する。もし、リソース項目値として初期値がリソース項目情報に含まれていた場合には入力欄にその初期値を表示する。ユーザは、項目データ設定画面上の各リソース項目の入力欄に項目値を設定する。このようにして生成されるリソース設定情報には、少なくとも各リソース項目に対して設定された値が含まれる。
【００３１】
一方、ステップ１０４において、該当する操作対象デバイス３０に対するリソース設定情報が保持されていた場合、この保持されたリソース設定情報をリソース設定情報保持部１８から取り出して画面表示する（ステップ１０８）。保持されていたリソース設定情報というのは、ステップ１０５〜１０７において当該操作対象デバイス３０に対して以前にアクセスしたときに生成された情報であり、基本的には同じ内容のリソース項目情報に基づき生成された情報である。従って、保持されたリソース設定情報を画面表示することなく送信してもよいが、本実施の形態では過去に設定した項目値をユーザに確認させるために表示するようにした。そして、設定値を変更したければ項目データ設定画面上で該当するリソース項目値を変更することでリソース設定情報が改めて生成されることになる（ステップ１０７）。
【００３２】
ところで、接続状態監視部１６は、上記ステップ１０３〜１０８における処理を実行しているときにも無線回線の接続状態を常時監視している。ユーザインタフェース制御部２０は、その接続状態に応じて画面表示するボタンを切り替えている。すなわち、オンラインのときには生成したリソース設定情報を送信することが可能であるため、図５に例示したように液晶画面５２上に送信ボタン５４を表示する。一方、オフラインのときにはリソース設定情報を生成したとしても送信することはできないために送信ボタンが選択できないように無効にしておくことが望ましい。そして、リソース項目値の設定処理から液晶画面を解放するためにも、生成したリソース設定情報をリソース設定情報保持部１８にオンラインになるまで一時待避させておくことが望ましい。従って、本実施の形態では、オフラインのときには送信ボタンの代わりに図６に例示したように液晶画面５２上に保存ボタン５６を表示するようにした。これにより、ユーザは、操作対象デバイス３０との間の無線回線が現在切断されていること認識することができると共に保存ボタン５６を選択するだけで設定したリソース項目値を一時保存させておくことができる（ステップ１０９，１１０）。
【００３３】
接続状態監視部１６は、その後も操作対象デバイス３０との間の無線回線の接続状態を常時監視している（ステップ１１１）。そして、オンラインになったことが確認されると、リソース設定情報送信部２６は、リソース設定情報保持部１８に一時保持しておいたリソース設定情報を取り出し、操作対象デバイス３０へ送信する（ステップ１１２）。なお、接続状態監視部１６における接続状態監視処理は、リソース項目に関する情報の送受信処理、設定処理などと非同期に行われるが、図３には、接続状態監視処理を便宜的に含めた。従って、ステップ１１１における処理の間、ＵＩデバイス１０は、他の処理を実行可能である。非同期に処理を実行することについては、操作対象デバイス３０における接続状態監視部３８においても同様ある。
【００３４】
操作対象デバイス３０において、接続状態監視部３８によりオンラインの状態が維持されていることが確認されているときに（ステップ２０１，２０２）、通信制御部３２がＵＩデバイス１０により発信された情報を受信したとする。その受信された情報が、ＵＩデバイス１０により発信されたリソース設定情報であるとき（ステップ２０６）、リソース設定処理部３４は、リソース設定情報に含まれるリソース項目値を書き込むことで、リソース設定値テーブル４６の設定内容を更新する（ステップ２０７）。動作制御部３６は、リソース設定値テーブル４６に反映されたリソース項目値によってシステム環境や動作制御のパラメータを設定する。
【００３５】
以上のようにして、ＵＩデバイス１０のユーザは、自ら設定した環境で操作対象デバイス３０を動作させることができるが、本実施の形態によれば、操作対象デバイス３０とオンラインの状態であるか、あるいはオフラインの状態であるかを監視し、オンラインとオフラインとで適切な処理を行えるようにした。すなわち、生成したリモート設定情報をオンラインのときには即座に送信し、オフラインのときには一時保存するようにし、オンラインになった後に送信するようにした。本実施の形態によれば、このようにして操作対象デバイス３０を所望の動作環境に設定して使用しようとするユーザの便宜を図ることができる。
【００３６】
ところで、以上は主にＵＩデバイス１０における利便性を向上させるための作用について説明した。以下、操作対象デバイス３０における利便性の向上について説明する。
【００３７】
操作対象デバイス３０は、現在有効なリソース項目値をリソース設定値テーブル４６に展開し、そのテーブル４６への設定内容によってシステム環境が設定される。これにより、リソース項目値の送信元となるＵＩデバイス１０は、所望するシステム環境に操作対象デバイス３０を設定してから利用することができるようになる。しかしながら、当該ＵＩデバイス１０との無線回線が切断されオフラインの状態になったとき、ＵＩデバイス１０は、もはや操作対象デバイス３０を利用することはできない。それにもかかわらず何の手当もしなければ、当該ＵＩデバイス１０によって設定されたリソース項目値がリソース設定値テーブル４６に展開されたままになってしまう不具合が生じる可能性もある。そこで、本実施の形態においては、接続状態監視部３８にＵＩデバイス１０との間の無線回線の接続状態を常時監視させ、リソース設定処理部３４にオフラインの状態に変わったときには、リソース設定値テーブル４６の設定内容を無効にさせるようにした。具体的にいうと、リソース設定処理部３４は、リソース項目の初期値をリソース初期値記憶部５０から取り出してリソース設定値テーブル４６に展開する（ステップ２０８）。初期値でリソース設定値テーブル４６を更新することで、オフラインの状態にあるＵＩデバイス１０のためのリソース項目値を無効にできると共に標準的な項目値に戻すことができる。
【００３８】
ところで、情報処理装置は、ある１台のＵＩデバイス１０に対する操作対象デバイス３０として動作するとは限らず、複数台のＵＩデバイス１０に対応できるように構成することが望まれる。高機能な情報処理装置であれば、個人プロファイルを利用することにより複数台のＵＩデバイス１０に容易に対応することができる。すなわち、各ＵＩデバイス１０から送られてきたリソース設定情報をそれぞれ個人プロファイルに含めて保持しておく。そして、いずれかのＵＩデバイス１０と無線回線が接続されオンラインの状態になったとき、そのＵＩデバイス１０に対応する個人プロファイルからリモート設定情報を取り出して、リソース設定値テーブル４６に展開すればよい。このように、オンライン関係にあるＵＩデバイス１０とリソース設定値テーブル４６に展開されたリモート設定情報の送信元のＵＩデバイス１０とを一致させることができる。
【００３９】
一方、個人プロファイルを保持できない低機能な情報処理装置においては、ＵＩデバイス１０から送られてきたリモート設定情報を内部に保持しておくことはできない。そこで、前述したように当該ＵＩデバイス１０との無線回線が切断されオフラインの状態になったとき、リソース設定値テーブル４６の設定内容を無効にするために初期値で更新するようにした。
【００４０】
本実施の形態では、ＵＩデバイス１０に設定させるのは、リソースに関する項目値である場合を例にして説明した。しかしながら、本発明において設定するのは、操作対象デバイス３０についてのリソースに限定されるものではなく、その他の種類の情報であってもよいし、操作対象デバイス３０が他の機器のために設定する項目値であってもよい。
【図面の簡単な説明】
【００４１】
【図１】本発明に係るユーザインタフェース機器及び情報処理装置の一実施の形態を示したブロック構成図である。
【図２】本実施の形態において取り扱うリソース項目の一覧の例を示した図である。
【図３】本実施の形態におけるＵＩデバイス側の処理を示したフローチャートである。
【図４】本実施の形態における操作対象デバイス側の処理を示したフローチャートである。
【図５】本実施の形態におけるＵＩデバイスの液晶画面に表示される項目データ設定画面の例を示した図である。
【図６】本実施の形態におけるＵＩデバイスの液晶画面に表示される項目データ設定画面の例を示した図である。
【符号の説明】
【００４２】
１０  ＵＩデバイス、１２，３２  通信制御部、１４  設定情報生成処理部、１６  接続状態監視部、１８  リソース設定情報保持部、２０  ユーザインタフェース（ＵＩ）制御部、２２  リソース項目情報送信要求部、２４  リソース項目情報受信部、２６  リソース設定情報送信部、２８  リソース項目情報記憶部、３０  操作対象デバイス、３４  リソース設定処理部、３６  動作制御部、３８  接続状態監視部、４０  要求受付部、４２  リソース項目情報送信部、４４  リソース設定情報受信部、４６  リソース設定値テーブル、４８  リソース項目情報記憶部、５０  リソース初期値記憶部、５２  液晶画面、５４  送信ボタン、５６  保存ボタン。
【図１】
2005260312.tif 000003
【図２】
2005260312.tif 000004
【図３】
2005260312.tif 000005
【図４】
2005260312.tif 000006
【図５】
2005260312.tif 000007
【図６】
2005260312.tif 000008